(57)【要約】【課題】ゲーム機等に好適な照光式押ボタンスイッチであって、キャップを頻繁に押圧操作しても、スイッチ、ランプが脱落することを防止して、スイッチの信頼性を高めるとともに、ランプ照光時の演出のバリエーションを高める。【解決手段】ゲーム機の筺体パネルＰに取り付ける円筒ケース状のスイッチボディ２０内に出没自在にプランジャ４０が収容され、このプランジャ４０に取り付けられたドーム形状のカラーキャップ３０を押圧操作することで、スイッチボディ２０の底部２１に取り付けたマイクロスイッチ５０をＯＮ・ＯＦＦさせるとともに、スイッチボディ２０内の基板８０に取り付けたランプ６０を外部信号で点灯させる照光式押ボタンスイッチ１０であって、スイッチ５０とランプ６０を分離して、かつスイッチボディ２０の中心軸から外れた位置に設定するとともに、ランプ６０は、ほぼ等角度間隔毎にランプ６０を分散配置する。【選択図】  図２
2004193071.tif 000002
【特許請求の範囲】
【請求項１】
円筒ケース状に形成され、ゲーム機等の筺体パネルに取り付けられるスイッチボディ内に、ドーム形状のカラーキャップを支持するプランジャが突出方向にバネ付勢された状態で、出没可能に収容され、上記カラーキャップのキャップ面を押圧操作することで、プランジャを介してスイッチボディ底部のマイクロスイッチを開閉して出力信号を生成すると共に、外部信号により点灯してカラーキャップを内側から照らすランプを有する照光式押ボタンスイッチにおいて、
前記マイクロスイッチとランプとが分離した状態で、かつ双方共スイッチボディの中心軸から径方向に外れた位置に配置されるとともに、ランプとしては複数のランプがほぼ等角度間隔毎に分散配置されたものが使用されることを特徴とする照光式押ボタンスイッチ。
【請求項２】
前記スイッチボディ内に基板が収容され、該基板に複数のランプが支持され、更に、基板には、入出力を一括して行なうコネクタが付設され、このコネクタは、スイッチボディの開口を通して外部に臨んでいることを特徴とする請求項１に記載の照光式押ボタンスイッチ。
【請求項３】
前記基板におけるランプ取付部には、円形のランプ装着孔が開設され、該ランプ装着孔縁部に基板側端子が設けられているとともに、径方向対称位置に切欠きが形成され、ランプソケットのリテーナを上記切欠き内に挿入して、ランプソケットの操作片を廻し込むことで、基板のランプ装着孔縁部にランプソケットのリテーナを係着し、基板にランプをワンタッチで装着するとともに、双方の端子を導通させるようにしたことを特徴とする請求項２に記載の照光式押ボタンスイッチ。
【請求項４】
前記マイクロスイッチは、ケース状のスイッチカバー内に収容固定され、このスイッチカバーの長手方向一方端をスイッチボディの底部外面に設けたフックに係止した状態でスイッチカバーの他方端を係止片に係着することにより、マイクロスイッチをスイッチボディにワンタッチで装着可能としたことを特徴とする請求項１乃至３のいずれかに記載の照光式押ボタンスイッチ。
【発明の詳細な説明】
【０００１】
【発明の属する技術分野】
この発明は、各種ゲーム機の操作ボタンとして好適な照光式押ボタンスイッチに係り、特に、頻繁に押圧操作を繰り返しても、マイクロスイッチやランプの脱落がなく、スイッチの信頼性を高めることができるとともに、ランプの点灯バリエーションを増やすことで、多様な演出を可能にした照光式押ボタンスイッチに関する。
【０００２】
【従来の技術】
通常、ゲームセンタ等に導入されている各種ゲーム機の操作ボタンとしては、演出を盛り上げるために、照光式押ボタンスイッチが多用される。図１０は従来の照光式押ボタンスイッチの正面図、図１１は同照光式押ボタンスイッチの構成を示す断面図である。
【０００３】
従来の照光式押ボタンスイッチ１は、円筒ケース状のスイッチボディ２の内部に、ドーム形状のカラーキャップ３を固定したプランジャ４を収容して構成される。このプランジャ４は、スプリング４ａによりカラーキャップ３の突出方向にバネ付勢されている。従って、カラーキャップ３のキャップ面を押圧操作すると、スプリング４ａのバネ力に抗してプランジャ４が後退すると共に、プランジャ４の後退毎にスプリング４ａのバネ力で基位置に復帰するため、カラーキャップ３の頻繁な押圧操作が可能となる。このカラーキャップ３の押圧操作毎にゲーム機に対して信号を出力できるように、スイッチボディ２の底部には、マイクロスイッチ５とランプ６とが一体型ホルダ７を介して取り付けられている。
【０００４】
尚、照光式押ボタンスイッチ１の取り付けにおいては、カラーキャップ３がゲーム機の表面側に臨むようにゲーム機等の筺体パネルの表面側からスイッチボディ２を嵌め込み、ナット８ａを一体化した外装カラー８を筺体パネルの内面側からスイッチボディ２の外周面のネジ溝にねじ込み、スイッチボディ２の外周フランジ２ａと外装カラー８との間で筺体パネルを挟み付けることでゲーム機に取り付けられる（例えば、非特許文献１参照）。
【０００５】
【非特許文献１】
’０２〜’０３  ＳＡＮＷＡ  ＤＥＮＳＨＩ  ＧＡＭＥ’Ｓ  ＰＡＲＴＳ  ＣＡＴＡＬＯＧ  Ｐ，２４
【０００６】
【発明が解決しようとする課題】
このように、従来ゲーム機等に用いられる照光式押ボタンスイッチ１は、スイッチボディ２の底部の中心部分にスイッチ・ランプ一体型ホルダ７を介してマイクロスイッチ５とランプ６とが固定され、マイクロスイッチ５やランプ６がスイッチボディ２の中心軸に沿って集中的に配置されているため、遊戯中頻繁にカラーキャップ３を押圧操作した場合、カラーキャップ３の押圧操作時の衝撃をマイクロスイッチ５やランプ６が直接受け、マイクロスイッチ５やランプ６の脱落が生じ易く、スイッチの信頼性を低下させるという欠点が指摘されている。
【０００７】
また、従来の照光式押ボタンスイッチ１では、マイクロスイッチ５及びランプ６をスイッチ・ランプ一体型ホルダ７に組み付けた後、スイッチボディ２の底部に固着するという面倒な組付け作業が強いられ、作業性を低下させるという問題点も同時に指摘されている。
【０００８】
更に、従来の照光式押ボタンスイッチ１においては、スイッチボディ２の中心軸に沿って設けられるスイッチ・ランプ一体型ホルダ７に単一のランプ６を取り付けているため、全体の明るさに制約を受けるとともに、ランプ６点灯のバリエーションも少なく、演出面での盛り上がりにも欠けるという傾向にあった。
【０００９】
この発明は、このような事情に鑑みてなされたもので、ゲーム機の操作ボタン等に好適な照光式押ボタンスイッチであって、カラーキャップを頻繁に叩き込んでも、マイクロスイッチ、ランプの脱落を未然に防止でき、スイッチの信頼性を高めることができるとともに、マイクロスイッチ及びランプの組み付けをワンタッチで行なうことができ、組付け作業性に優れ、かつランプの点灯バリエーションを無限に広げることで、多岐に亘る演出を可能にした照光式押ボタンスイッチを提供することを目的とする。
【００１０】
【課題を解決するための手段】
上記目的を達成するために、本発明は、円筒ケース状に形成され、ゲーム機等の筺体パネルに取り付けられるスイッチボディ内に、ドーム形状のカラーキャップを支持するプランジャが突出方向にバネ付勢された状態で、出没可能に収容され、上記カラーキャップのキャップ面を押圧操作することで、プランジャを介してスイッチボディ底部のマイクロスイッチを開閉して出力信号を生成すると共に、外部信号により点灯してカラーキャップを内側から照らすランプを有する照光式押ボタンスイッチにおいて、前記マイクロスイッチとランプとが分離した状態で、かつ双方共スイッチボディの中心軸から径方向に外れた位置に配置されるとともに、ランプとしては複数のランプがほぼ等角度間隔毎に分散配置されたものが使用されることを特徴とする。
【００１１】
そして、本発明によれば、従来構造のようにスイッチボディの中心軸に沿ってマイクロスイッチやランプを集中的に設けるという構造を廃止して、マイクロスイッチとランプとを分離して、かつ複数のランプを分散してほぼ等間隔に設けるという構成を採用したため、カラーキャップを激しく押圧操作した際の衝撃がスイッチボディの中心部に集中しても、スイッチやランプが中心からずれた位置に設けられているため、衝撃の影響を受けにくいことから、スイッチやランプの脱落を未然に防止することができる。
【００１２】
更に、従来の単一のランプ構造に替えて、複数のランプを分散配置したため、全体としての明るさを増大させることができるとともに、複数のランプの点灯タイミング等を変えることにより、バリエーションを無限に広げることができる。
【００１３】
また、本発明の別の実施態様としては、前記スイッチボディ内に基板が収容され、該基板に複数のランプが支持され、更に、基板には、入出力を一括して行なうコネクタが付設され、このコネクタは、スイッチボディの開口を通して外部に臨んでいることを特徴とする。
【００１４】
そして、この実施態様によれば、外部の制御装置のコネクタを基板に付設されたコネクタに接続すれば良いため、配線作業を簡素化できる。また、基板側のコネクタに個々のランプ端子を個別に導出すれば、個別点灯、一括点灯を外部信号により任意に選択できるため、ランプ点灯のバリエーションを増やして、多様な光の延出が可能となる。
【００１５】
更に、本発明の好ましい実施態様としては、前記基板におけるランプ取付部には、円形のランプ装着孔が開設され、該ランプ装着孔縁部に基板側端子が設けられているとともに、径方向対称位置に切欠きが形成され、ランプソケットのリテーナを上記切欠き内に挿入して、ランプソケットの操作片を廻し込むことで、基板のランプ装着孔縁部にランプソケットのリテーナを係着し、基板にランプをワンタッチで装着するとともに、双方の端子を導通させるようにしたことを特徴とする。
【００１６】
そして、この実施態様によれば、ランプソケットをスイッチボディの開口を通して基板のランプ装着孔に挿入し、ランプをカラーキャップ内面側に臨むように位置決めした後、ランプソケットの操作片を廻し込むことでランプソケットのリテーナが基板のランプ装着孔縁部に係止することにより、ランプをワンタッチで基板に取り付けることができ、組付け作業性を高めることができるとともに、従来のように、ランプの交換にあたり、ランプ・スイッチ一体型ホルダをその都度取り外すという面倒な作業を廃止でき、メンテナンス作業も簡素化できる。
【００１７】
また、本発明の更に好ましい実施態様としては、前記マイクロスイッチは、ケース状のスイッチカバー内に収容固定され、このスイッチカバーの長手方向一方端をスイッチボディの底部外面に設けたフックに係止した状態でスイッチカバーの他方端を係止片に係着することにより、マイクロスイッチをスイッチボディにワンタッチで装着可能としたことを特徴とする。
【００１８】
そして、この実施態様によれば、マイクロスイッチをスイッチボディの底部に取り付けるには、マイクロスイッチをケース状のスイッチカバーに収容してビス止め固定した後、スイッチカバーの長手方向一方端をスイッチボディ底部に設けたフックに引っ掛けた状態でスイッチカバーの他方端をスイッチボディ底部に突設した係止片を撓ませながら押し込むことでスイッチカバーをワンタッチで簡単かつ確実にスイッチボディに取り付けることができる。
【００１９】
【発明の実施の形態】
以下、本発明に係る照光式押ボタンスイッチの好適な実施の形態について、添付図面を参照しながら詳細に説明する。
【００２０】
図１は本発明に係る照光式押ボタンスイッチの一実施形態を示す側面図、図２は同照光式押ボタンスイッチをゲーム機の筺体パネルに取り付けた状態を示す断面図、図３は同照光式押ボタンスイッチにおけるスイッチボディの底部を示す背面図、図４は同照光式押ボタンスイッチに使用するランプの側面図、図５は同ランプの平面図、図６は同照光式押ボタンスイッチのスイッチボディに内装される基板の平面図、図７は同基板の断面図、図８は本発明に係る照光式押ボタンスイッチに取り付けるマイクロスイッチを支持するスイッチカバーを示す（ａ）側面図、（ｂ）平面図、（ｃ）マイクロスイッチを取り付けた状態を示す側面図、図９は同マイクロスイッチを装備したスイッチカバーをスイッチボディに取り付ける作業手順を示す説明図である。
【００２１】
先ず、図１乃至図３を参照して、本発明に係る照光式押ボタンスイッチ１０の全体構成について説明する。照光式押ボタンスイッチ１０は、中空円筒ケース状にＡＢＳ樹脂等の樹脂材料を成形してなるスイッチボディ２０内にドーム形状のカラーキャップ３０を支持するプランジャ４０を収容して構成される。このプランジャ４０は、付勢スプリング４１のバネ力により、カラーキャップ３０が前方に突出する方向にバネ付勢されている。尚、図中符合３１はカラープレートを示す。
【００２２】
また、カラーキャップ３０を押圧操作する毎に、カラーキャップ３０を支持するプランジャ４０は、付勢スプリング４１のバネ力に対して、スイッチボディ２０内に沈み込み、カラーキャップ３０への押圧力を解除すれば、付勢スプリング４１のバネ力により、カラーキャップ３０が前方に突出する。プランジャ４０の底部４２には、爪状のストッパ片４３が複数箇所（実施形態では３箇所）に突設され、このストッパ片４３がスイッチボディ２０の底部２１に係止することで、カラーキャップ３０の突出位置が規制される。
【００２３】
更に、本発明に係る照光式押ボタンスイッチ１０においては、カラーキャップ３０の押圧操作毎に作動するマイクロスイッチ（機械接点方式、フォトインタラブタ方式等）５０がスイッチボディ２０の底部２１に取り付けられているとともに、このマイクロスイッチ５０とは分離した状態で、３個のランプ６０が１個ずつ３箇所に分散して配置されている。
【００２４】
更に詳しくは、スイッチボディ２０には、開口側縁部に沿って周縁フランジ２２が周設されていると共に、スイッチボディ２０の外周面には、外装ナット７０を螺装するネジ部２３が形成されている。従って、ゲーム機等の筺体パネルＰに取り付けるには、筺体パネルＰの表面側からスイッチボディ２０を筺体パネルＰの取付孔内に差し込み、筺体パネルＰの裏面側から外装ナット７０をスイッチボディ２０のネジ部２３にねじ込む。すると、図２に示すされるように、スイッチボディ２０の周縁フランジ２２と外装ナット７０との間で筺体パネルＰを挟み込まれ、照光式押ボタンスイッチ１０をゲーム機等の筺体パネルＰに取り付けることができる。
【００２５】
ところで、本発明に係る照光式押ボタンスイッチ１０の構成上の特徴は、スイッチとランプとを一体型ホルダを介してスイッチボディの中心軸に沿って集中的に取り付けるという従来構造を廃止して、マイクロスイッチ５０とランプ６０とを分離して取り付け、特に、ランプ６０を複数箇所に分散して配置することで、スイッチ操作時における衝撃によってもマイクロスイッチ５０やランプ６０の脱落を確実に防止して、照光式押ボタンスイッチ１０の信頼性を高めるとともに、ランプ６０を複数箇所に設けることで全体の明るさを増大し、しかも、多岐に亘るランプ６０の点灯バリエーションを付与することで、多様なゲーム演出を可能にしたことである。
【００２６】
図３はスイッチボディ２０における底部２１を示す背面図であり、スイッチボディ２０の底部２１には、３箇所にランプ６０を挿入するためのランプ挿入孔２４がほぼ等角度間隔毎に開設されている。また、スイッチボディ２０の底部２１には、カラーキャップ３０の突出ストロークを規制する矩形状のストッパ片受け孔２５が同様に３箇所に開設されており、これらの孔４３にプランジャ４０のストッパ片４３が係着される。また、スイッチボディ２０の底部２１には、基板８０のコネクタ８１を外部に露出させるための開口２６が設けられている。更に、スイッチボディ２０の底部２１には、マイクロスイッチ５０を支持するスイッチカバー５１の長手方向両端を挟み付け固定するためのフック２７と係止片２８がスイッチボディ２０の底部２１に形成されている。
【００２７】
本発明に係る照光式押ボタンスイッチ１０は、上述したように、マイクロスイッチ５０とランプ６０とを分離し、かつスイッチボディ２０の中心軸から外れた位置に設けるとともに、特に、３箇所にランプ６０を分散配置することで、マイクロスイッチ５０やランプ６０に加わるスイッチ操作時における衝撃からの影響を極力少なくでき、マイクロスイッチ５０並びにランプ６０の脱落を防止するとともに、全体の明るさを増し、かつランプ６０の点灯バリエーションを高めるというものであるが、図４，図５において、ランプ６０の構成を説明するとともに、図６においてランプ６０を接続する基板８０の構成、及び図７において両者の関係を説明する。
【００２８】
まず、図４，図５において、本発明に使用するランプ６０は、ウエッジ型ランプ６０であり、ウエッジ球６１がランプソケット６２に取り付けられている。このランプソケット６２は、円盤状フランジ６３の一方面（ウエッジ球６１側面）にリテーナ６４、他方面に操作片６５が設けられ、リテーナ６４設定面には、基板８０側の端子と接続する端子６６が径方向対称位置に設けられている。
【００２９】
一方、このランプ６０を取り付ける基板８０は、図６に示すように、スイッチボディ２０の内周面形状に設定され、外周縁の３箇所に切欠き８２が形成され、中央に丸孔８３が開設されている。そして、上記切欠き８２をスイッチボディ２０内周面の図示しない突起に嵌め入れるとともに、丸孔８３についてもスイッチボディ２０の底部２１から内面側に向けて突設した円筒部を嵌合させることで、基板８０はスイッチボディ２０内の底部２１と所定クリアランスを維持して取り付けられている。また、基板８０には、３箇所にランプ装着孔８４が開設されている。
【００３０】
このランプ装着孔８４は、円形孔の径方向対称位置に一対の円弧状の基板側端子８５，８５が設けられ、双方の端子８５，８５間に切欠き８５ａが形成され、この切欠き８５ａ内にランプ６０におけるリテーナ６４の長辺部分を嵌め込み、ランプ６０の操作片６５を廻し込むことにより、切欠き８５ａからずれた位置でリテーナ６４と円盤状フランジ６３との間で基板８０を挟み付けてランプ６０が固定される。その時に、ランプ装着孔８４の周囲に設けられている基板側端子８５，８５とランプ６０の端子６６，６６とが接続状態となる。尚、基板８０に印刷されている配線パターンは図示省略するが、一対の基板側端子８５，８５の一方は互いに共通に接続されてコネクタ８１の共通端子ピン８１ａに導出され、他方は個別に引き出されて、それぞれ該当する端子ピン８１ｂ，８１ｃ，８１ｄに接続される。従って、３個のランプ６０，６０，６０のそれぞれは個別に点灯制御が可能とされている。
【００３１】
更に、基板８０にランプ６０を取り付けた状態を図７に示す。ランプ６０を取り付ける場合には、ウエッジ球６１をスイッチボディ２０の底部２１のランプ挿入孔２４を通して基板８０のランプ装着孔８４内に挿入した後、ランプ６０の操作片６５を廻し込み操作するだけで、簡単にランプ６０を基板８０に取り付けることができ、従来のように、ランプ・スイッチ一体型ホルダにランプを取り付け、その後、ランプ・スイッチ一体型ホルダをスイッチボディに取り付けるという作業に比べ、ランプ６０の組付け作業性を向上させることができ、更に、ランプ６０の交換時においても簡単に交換が可能となり、メンテナンス作業も容易に行なえるという利点がある。
【００３２】
更に、ランプ６０をスイッチボディ２０内の基板８０に取り付けた状態では、図２に示すように、ウエッジ球６１はプランジャ４０の底部４２に開設したランプ挿入用開口４４からカラーキャップ３０内面側に臨んでおり、特に、３箇所にランプ６０を分散配置したことで、カラーキャップ３０として１００φの大型のドーム形状のカラーキャップ３０を採用しても、３個のランプ６０により、全体の明るさを増大させることができるとともに、特に、コネクタ８１には個々のランプからの信号パターンが導出されているため、３個のランプ６０の点灯バリエーションを工夫することで様々なゲーム演出が可能になるという利点もある。
【００３３】
次いで、スイッチボディ２０にマイクロスイッチ５０を取り付ける構造について説明する。図８（ａ），（ｂ）は、マイクロスイッチ５０を支持するスイッチカバー５１を示すもので、スイッチカバー５１は、ＡＢＳ樹脂等の射出成形体から構成されている。
【００３４】
このスイッチカバー５１は、浅底容器状のカバー本体５２の一方側壁の２箇所に取付片５３が上方に向けて立設され、この取付片５３に取付用ボス５３ａが内面側に向けて突設形成されている。
【００３５】
更に、カバー本体５２の他方側壁には、上記取付片５３とは交互位置に狭持片５４が２箇所に突設され、マイクロスイッチ５０をカバー本体５２内部に収容すれば、その両側から取付片５３と挟持片５４とにより挟持されるとともに、取付用ボス５３ａをマイクロスイッチ５０の凹部内に嵌合させることでスイッチカバー５１にマイクロスイッチ５０を強固に取り付けることができる。
【００３６】
マイクロスイッチ５０をスイッチカバー５１内に取り付けた状態を図８（ｃ）に示す。このように、マイクロスイッチ５０を取り付けたスイッチカバー５１を照光式押ボタンスイッチ１０におけるスイッチボディ２０の底部２１外面に取り付けるには、スイッチカバー５１の長手方向の一方端５１ａをスイッチボディ２０の底部２１におけるフック２７に差し込み、この状態で図９（ａ）中矢印で示す方向にスイッチカバー５１の他方端５１ｂを下方向に押し下げれば、他方端５１ｂが係止片２８を外方に向けて撓ませつつ係着することで、図９（ｂ）に示すように、ワンタッチでスイッチカバー５１をスイッチボディ２０の底部２１に確実に取り付けることができる。
【００３７】
従って、従来スイッチボディの中心軸に集中的にスイッチを取り付けていたが、上述したマイクロスイッチ５０の取付構造によれば、マイクロスイッチ５０をスイッチカバー５１を介してスイッチボディ２０の中心軸から外れた位置に取り付けるため、マイクロスイッチ５０の重量分布を中心部に集中させることなく、中心部から外側に向けて分散させることで、スイッチ操作時にマイクロスイッチ５０やスイッチカバー５１に加わる衝撃の影響を排除でき、マイクロスイッチ５０の脱落を可及的に防止することができる。加えて、マイクロスイッチ５０をワンタッチで取り付けることができることから、マイクロスイッチ５０の組付け作業性も著しく向上させることができる。
【００３８】
また、図９（ｂ）に示すように、マイクロスイッチ５０を組み付けたスイッチカバー５１を上述したようにワンタッチでスイッチボディ２０に取り付ければ、マイクロスイッチ５０の操作片５０ａはスイッチボディ２０内に収容されているプランジャ４０の押圧片４５と対峙する位置に位置決めされる。
【００３９】
【発明の効果】
以上説明した通り、本発明に係る照光式押ボタンスイッチは、従来のランプ・スイッチ一体型構造を廃止して、ランプとスイッチとを分離するとともに、特に、操作時における衝撃が加わり易いスイッチボディの中心部から外れる位置にスイッチ及びランプを取り付けたため、頻繁に押圧操作を繰り返しても、スイッチやランプにかかる衝撃が抑えられ、スイッチやランプの脱落を確実に防止できることから、スイッチの信頼性を高めることができるという効果を有する。
【００４０】
更に、本発明に係る照光式押ボタンスイッチは、スイッチと分離してランプを設けるとともに、ランプは複数個のランプを分散配置するという構成を採用したため、全体の明るさを増大させることができるとともに、ランプの点灯バリエーションを拡大でき、ゲーム等における演出を盛り上げることができるという効果を有する。
【００４１】
また、本発明に係る照光式押ボタンスイッチは、ランプ及びマイクロスイッチのワンタッチ装着方式を採用したため、組付け作業性を高めることができるとともに、メンテナンス作業を容易に行なえるという効果を有する。
【図面の簡単な説明】
【図１】本発明に係る照光式押ボタンスイッチの一実施形態を示す側面図である。
【図２】図１に示す照光式押ボタンスイッチをゲーム機の筺体パネルに取り付けた状態を示す断面図である。
【図３】図１に示す照光式押ボタンスイッチにおけるスイッチボディの底部を示す背面図である。
【図４】図１に示す照光式押ボタンスイッチに使用するランプの側面図である。
【図５】図１に示す照光式押ボタンスイッチに使用するランプの平面図である。
【図６】図１に示す照光式押ボタンスイッチに使用する基板の平面図である。
【図７】図６に示す基板にランプを取り付けた状態を示す断面図である。
【図８】図１に示す照光式押ボタンスイッチに使用するマイクロスイッチのスイッチカバーを示す（ａ）側面図、（ｂ）平面図、（ｃ）マイクロスイッチ取付状態の側面図である。
【図９】図１に示す照光式押ボタンスイッチにおけるマイクロスイッチをスイッチボディに取り付ける作業手順を示す説明図である。
【図１０】従来の照光式押ボタンスイッチの正面図である。
【図１１】従来の照光式押ボタンスイッチの構成を示す断面図である。
【符号の説明】
１０  照光式押ボタンスイッチ
２０  スイッチボディ
２１  底部
２２  周縁フランジ
２３  ネジ部
２４  ランプ挿入孔
２５  ストッパ片受け孔
２６  コネクタ用開口
３０  カラーキャップ
３１  カラープレート
４０  プランジャ
４１  付勢スプリング
４２  底部
４３  ストッパ片
４４  ランプ挿入用開口
４５  押圧片
５０  マイクロスイッチ
５１  スイッチカバー
５２  カバー本体
５３  取付片
５３ａ  取付用ボス
５４  挟持片
６０  ランプ
６１  ウエッジ球
６２  ランプソケット
６３  円盤状フランジ
６４  リテーナ
６５  操作片
６６  端子
７０  外装ナット
８０  基板
８１  コネクタ
８１ａ〜８１ｄ  端子ピン
８２  切欠き
８３  丸孔
８４  ランプ装着孔
８５  基板側端子
Ｐ  筺体パネル
【図１】
2004193071.tif 000003
【図２】
2004193071.tif 000004
【図３】
2004193071.tif 000005
【図４】
2004193071.tif 000006
【図５】
2004193071.tif 000007
【図６】
2004193071.tif 000008
【図７】
2004193071.tif 000009
【図８】
2004193071.tif 000010
【図９】
2004193071.tif 000011
【図１０】
2004193071.tif 000012
【図１１】
2004193071.tif 000013